(57)【要約】【課題】従来発明されている、浴槽内の水面に集まる浮遊物ごと水面から水を排出できる器具はあふれ水による排水を利用した物や、浴槽排水口に取り付けするものなどがあるが、浴槽そのものの交換が必要であったり、入浴時など浴槽に水が入っている状態では着脱が難く、無理に着脱すると、意図せず浴槽内の多く水を排水してしまう危険性があるといった問題があり、難しい。また、網で浮遊物を掬う器具などでは、毛髪などは取り去ることが用意だが、脂分などに効果が低い。【解決手段】水槽の枠においた状態で排水可能であり、フロートにより水面を追従することで水面付近より取水した水を排水する装置を提供する。装置に使う管のたわみを利用して水面の追従を行うことで、水面の追従性が高くなる。また、取水部ストッパーを設けることで、水槽の任意の水位を下回ったときは排水を止めることができる。【選択図】図１
2013244324.tif 000002
【特許請求の範囲】
【請求項１】
漏斗状に１部分が細くなった排水口接続部と少し広くなった水を取り込むための取水口を持つ取水部と、
前記取水部に取り付けられた１つ以上のフロートと、
前記取水部の排水口接続部に一方の端を接続された管状の落水部と
管状で上下逆Ｕ字型の形状をもつ汲み上げ排出部と
一方を前記落水部の残るもう一方の端ともう一方を異なる方向を向く前記汲み上げ排出部の一方を連結して接続できる落水部汲み上げ部間接続具と
汲み上げ排出部のもう一方に水位調整排水装置を接続する排水部接続管を持つ排水装置。
【請求項２】
請求項１の排水装置の排水部接続管に、水位調整排水装置を取り付けた排水装置
【発明の詳細な説明】
【技術分野】
【０００１】
本発明は、水槽や浴槽などの排水に関するものである。
【背景技術】
【０００２】
浴槽などを含む各種水槽（以下「浴槽」と呼ぶ）などに溜める液体や水、湯など（以下、「水」と呼ぶ）には、その水の使用により、さまざまな「汚れ」や「不純物」、「浮遊物」などが混入する。
【０００３】
入浴を例にすると、入浴により浴槽の水が汚れても、ほとんどの場合、家族数人が入浴する間、浴槽の湯は入れ替えない家庭が多くあるが、このとき浴槽の水には汚れが少ないに越したことは無く、この汚れを効率よく取り除くことができれば、入浴時の衛生面の向上や、残り湯を洗濯に使いやすくなるなど、環境にやさしい生活に結びつけることができる。
【０００４】
その中でも水面に浮遊する汚れ成分（以後「浮遊物」と呼ぶ）は水面に漂う性質上、非常に目に付きやすく、これを取り除く目的の特許文献３のような網で浮遊部を掬うタイプのものが多く市販されており、特許文献1のような排水口に取り付けて浮遊物付近の水ごと排水する器具、特許文献２のように浴槽そのものに配管を内蔵したろ過装置などが発明されている。
【先行技術文献】
【特許文献】
【０００５】
【特許文献１】特許公開２００９−１７１９９１号
【特許文献２】特許公開２０００−３４２４７３号
【特許文献３】特開平１０−３３９１６号
【特許文献４】特願平１１−２５６０９６号
【特許文献５】実用新案登録第３１５４７６０号
【特許文献６】特開２００８−７３１２０
【発明の概要】
【発明が解決しようとする課題】
【０００６】
特許文献３のような浮遊物を網で掬うタイプの浮遊物取り器具は、毛髪などには高い効果を持つが、皮脂など脂分などについては、網の目を抜けて通り抜けてしまい、水の汚れの質によってはあまり効果が無い場合が多い。
【０００７】
また、特許文献５や特許文献６のように排水口に器具を取り付けて浴槽内の浮遊物を浴槽の排水口から排出する方法は、浴槽の水の排水により浮遊物を吸い込み、非常に効果が期待できるが、浴槽に水を張っている状態では器具の着脱ができないため、満水時の取り付け、取り外しが難しいことから、取り付けた後は常時装着状態となる可能性が高く、狭い浴槽では入浴の邪魔になったり、最悪の場合、引っ掛けて外れてしまい、大量の水を流してしまう危険もある。
【０００８】
また、浴槽に水が入っている状態での無理な着脱には、たくさんの水を意図せず排水してしまう可能性が高い。
【０００９】
特許文献４のような、浴槽そのものに改良を加えて、溢れ排水を行う方法は浮遊物除去にとても有効であるが、排水を行うためには浴槽への給水を必要とする点で、たとえば、最後の入浴者などが入浴する際など、もうたし湯をしたくない場合に浮遊物の除去を行いたい場合にはあふれ水を作るための不要な足し湯が不経済であることや、また、この装置の導入には浴槽交換などの規模の作業が必要となり、容易に実現することが難しい。
【００１０】
水面付近の湯を排水するには、特許文献６のような、水を排水するために取水口を浮きなどのような浮力のある部品（以後「フロート」と呼ぶ）で水面付近に浮かせて、水面よりわずかに下に取水口が来るように調整する方法が考えられるが、問題となるのは、このフロートを取り付けた取水口が水面を追従する際に、前記フロート付き取水口まで排水するための管が取水口を追従し続ける構造を必要とする。
【００１１】
特許文献６では、管が水面を追従するために、伸縮できる蛇腹管を利用しているが、上下する水面を充分に追従できる伸縮性に優れた蛇腹状の管は、かなりしなやかな素材で薄い構造でなければ追従性に優れた構造とするのが難しく、また、薄い素材を材料とした場合、わずかな劣化によって、伸縮性能の低下がおきやすく、わずかな劣化で水面を追従できない可能性が高くなる。
【００１２】
そして、もう1つのデメリットとして、しなやかで追従性に優れた蛇腹間は、わずかな水の流れによって、蛇腹管に大きなたわみが発生するなど、水の流れの影響を受けて、本来の動作をしない可能性がある。
【００１３】
特許文献５で考案されているの太さの違う２本の筒を使用した伸縮式は、この考案では長さの調整を手動としているため、水面を自動追従することはできないが、同様に、オートバイのテレスコピック型サスペンションのような構造で、水面を自動追従できる構造も考えられる。しかしこの方法では、２つの筒の接合部が滑らかにスライドによる伸縮ができるとしても、すぐに湯垢や皮脂などがスライド部に付着して、伸縮の抵抗となり、長い時間の水面追従を続けることができない可能性が高い。
【００１４】
そこで本発明は、浴槽の改造や交換を行うことなく、また、使用中に汚れなどでの装置の停止が起こりにくい長時間の動作が可能な構造で、かつ浴槽内の配管が劣化しやすい蛇腹の伸縮に頼らず、汚れの影響を受けやすいスライド伸縮式水面追従方式以外の構造を利用した機構で水面追従して水面付近の水の排水をおこなう装置の発明を課題とする。
【課題を解決するための手段】
【００１５】
漏斗状に部分的に細くなった排水口接続部と少し広くなった水を取り込むための取水口を持つ取水部と、
前記取水部に取り付けられた１つ以上のフロートと、
前記取水部の排水口接続部に一方の端を接続されたたわみ易い弾力性のある管状の落水部と
管状で上下逆Ｕ字型の形状をもつ排水汲み上げ排出部と
一方を前記落水部の残るもう一方の端ともう一方を異なる方向を向く前記排水汲み上げ排出部の一方を連結して接続できる落水部汲み上げ部間接続具と
排水汲み上げ排出部のもう一方に水位調整排水装置を接続する水位調整排水装置部を持つ排水装置。また、この排水装置の水位調整排水装置接続部に、水位調整排水装置を取り付けた排水装置
【発明の効果】
【００１６】
請求項１の発明によれば、フロートによる浮力を持った取水部は、弾力のある落水管のたわみ変形により、水面付近に浮いた状態を保つことが可能で、これにより、排水やその他の理由による水面位置の変化があっても、水面を追従する取水部は、水面付近の水を落水部の管内の流し落とすことが可能となる。
【００１７】
取水部から入った水が落水部に流れ込み、排水装置落水部内により設定されている前記落水部の基準水位を越えると、汲み上げ排水配管をとおり、水位調整排水装置によって排水される。
【００１８】
装置内の水位が一定で、常に取水部との落差を維持することができる事で、取水部に流れ込んだ水が浴槽へ逆流しない。
【図面の簡単な説明】
【００１９】
【図１】本発明の排水装置の図である。
【図２】取水部の拡大図である。
【図３】湯の量が多目の場合の排水状態の図である。
【図４】湯の量が少なめになった場合の排水状態の図である。
【図５】取水部の正面図である。
【図６】取水部の上面図である。
【図７】取水部の側面図である。
【図８】取水部の斜視図である。
【図９】汲み上げ部に逆止弁をつけた場合を示す図である。
【図１０】水位調整排水装置に、水受け皿を利用した水位調整排水装置を使用した図である。
【図１１】水位調整排水装置に、逆止弁を使用した水位調整排水装置を使用した図である。
【図１２】図１１の逆止弁の拡大図である。
【図１３】水位調整排水装置に、トラップ状の水溜め配管を使った図である。
【図１４】排水開始用にサイフォンポンプ構造を利用した場合を示す図である。
【図１５】排水装置を浴槽より取り外した状態を示す図である。
【図１６】図１５より排水装置を浴槽に戻した状態を示す図である。
【図１７】フロートスイッチと電磁石開閉器で動作する水位調整排水装置の図である。
【図１８】フロートスイッチとウォーターポンプで動作する水位調整排水装置の図である。
【図１９】フロートスイッチで動作させる排水装置の動作フローの図である。
【図２０】図１８を別の形態で書いた図である
【図２１】水面より高い位置に水を排出させることができる構造の図である。
【発明を実施するための形態】
【実施例１】
【００２０】
以下、本発明を具体化した形態を図面に基づいて説明する。
【００２１】
図１に示す排水装置は、フロート１９で水面２に浮いた状態の取水部１１で取り込んだ水面付近の水は取水部排水口２１から落水部１２に落ちて溜まるが、あらかじめ水位調整排水装置１５によって設定されている装置内水位１８を超えた水量については、水位調整排水装置１５によって水位調整排水装置排水口１６より排出される。
【００２２】
図２に示す取水部は破線で描かれているフロート１９により水面２に浮いている状態で動作する。
【００２３】
このときに取水口２４は水面２から取水部水面差２０を設けてあり、取水口２４から取り込んだ水は取水部排水口２１より流れ出て行く。
【００２４】
図3に示す浴槽の湯量が多いときの状態では、取水部１１と汲み上げ部に固定された取水部吊り下げストッパー１７が弛んだ状態であるが、図４のように浴槽の湯量が減ってくると、水面の取水部１１はフロート１９の浮力による水面追従により、水面２に対する位置を維持し、落水部１２はその素材のたわみによる変形で取水部１１の動きを追従する。
【００２５】
そして、取水部吊り下げストッパー１７が張った状態になることで、取水部１１が水面２を追従するのを止めて、排水を停止することで、湯がなくなるまで排水することを防ぐことができる。
【００２６】
図５から図８までの図で示す取水部１１とフロート１９は、この原理の説明のためわかりやすい形状のものを用意したもので、動作原理が同様であれば、実際の形状がこの形状であることは必要としない。
【実施例２】
【００２７】
図９に示す排水装置は、実施例１の排水装置では、取水部１１の位置と水位調整排水装置１５の位置、水位調整排水装置１５の構造によって、汲み上げ部１３の水流が不安定になり、取り付け状態が悪かったりした場合、装置内で逆流を起こす可能性もある。
【００２８】
これに対して、汲み上げ部１３や、その他の流水経路に対して、逆止弁を設けることにより、水の流れが安定し、水の逆流を防ぐことができる。
【実施例３】
【００２９】
図１０に示す排水装置は、水位調整排水装置１５の構造を、水位調整排水装置用水受け皿２９を使用する方法。
【００３０】
水位調整排水装置用水受け皿２９の満水状態で水面となる位置より下に排水部接続管１４に接続される配管の排水側の口を水面下にもぐらせることにより、サイフォンの原理からこの水位調整排水装置用水受け皿２９の水面が装置内水位１８となり、浴槽内の排水が動作し、水位調整排水装置用水受け皿２９を越えた水は流れ落ちて排水される。
【実施例４】
【００３１】
図１１に示す排水装置は、水位調整排水装置１５の構造を、逆止弁取り付け部５３に逆止弁５４を装着して使用する方法。
【００３２】
逆止弁による方法は、サイフォンの原理により、落水部１２の装置内水位１８より水位が高い場合は逆止弁に対して水圧がかかり、逆止弁が開いて排水されるが、装置内水位１８より水位が低い場合が、水圧が逆止弁に対して負圧となり、水は排出されない。
【００３３】
図１２は図１１の逆止弁部分の展開拡大図である。
【実施例５】
【００３４】
図１３に示す排水装置は、水位調整排水装置１５の構造として、トラップ式水位調整排水装置５５を使用する方法。
【００３５】
トラップ式水位調整排水装置５５のトラップ排水口まで水がある状態のときに、サイフォンの原理からこのトラップ式水位調整排水装置５５の排水口の水面が装置内水位１８となり、浴槽内の排水が動作する。
【実施例６】
【００３６】
図１４に示す排水装置は、図３の排水装置の構造に、さらに一般に市販されている、石油の移し変えなどに多用されるサイフォン式ポンプと同等の機能を内蔵することで、実施例３乃至５のようなサイフォンの原理を利用する構造で動作させる排水装置の動作開始の際に、サイフォン動作の始動のために、ポンプを使用することが可能となり、汲み上げ部に水を充満させる操作での使い勝手の向上が可能となる。
【実施例７】
【００３７】
図１５に示す排水装置は、実施例１の排水装置で、排水が不要な状況のときに、簡単に浴槽から取り外して排水を停止することができる。
【００３８】
その際に、取水部吊り下げストッパー１７により取水部１１の最低位置は装置内水位１８の位置より上に維持され、水位調整排水装置１５の働きとの両方の効果で、汲み上げ部１３内の水が保持されて、図１６のように排水装置を浴槽に再度セットした時に、何かの操作を行わなくとも、自動的にサイフォンの原理の動作が始まるメリットがある。
【実施例８】
【００３９】
図１７に示す図は本発明の水位調整排水装置１５の1つの例として、電気制御の開閉装置による開閉弁を使った水位調整排水装置１５の例を示したもの。
【実施例９】
【００４０】
図１８に示す図は本発明の水位調整排水装置１５の1つの例として、電気制御のモーター式ウォーターポンプ７４による排水制御を使った水位調整排水装置１５の例を示したもの。
【実施例１０】
【００４１】
図１９に示す動作フロー図は、実施例８や実施例９のような電気制御の水位調整排水装置１５を利用した場合の、排水制御の動作フローの例である。
【実施例１１】
【００４２】
従来発明されている、浴槽内の水面に集まる浮遊物ごと水面から水を排出できる器具はあふれ水による排水を利用した物や、浴槽排水口に取り付けするものなどがあるが、浴槽そのものの交換が必要であったり、入浴時など浴槽に水が入っている状態では着脱が難しい、または無理に着脱すると、意図せず浴槽内の多く水を排水してしまう危険性があるといった問題があり、現実的に難しい。また、網で浮遊物を掬う湯垢すくい器具などでは、毛髪などは取り去ることが用意だが、脂分などが網を通ることがあり、効果が低い。
【００４３】
そこで水槽の枠においた状態で排水可能であり、フロートにより水面を追従することで水面付近より取水した水を排水する装置を提供する。装置に使う管のたわみを利用して水面の追従を行うことで、水面を追従するする配管の素材や形状の自由度が高くなる。また、取水部ストッパーを設けることで、水槽の任意の水位を下回ったときは排水を止めることができる。また、装置を浴槽からはずすと排水を停止しても、装置内の水を保持し、再度浴槽に装着すると排水を始める。
【実施例１２】
【００４４】
図１に示す排水装置をはじめ、その他実施例で示した排水装置は、浴槽以外でも、各種水槽等でも使用することが可能である。
【００４５】
たとえば実施例で説明の図1とほぼ同等の図２０で示す排水装置では、各種水槽やいけす用水槽などにおいて図1の排水装置を使用して表面に漂い浮遊するゴミや異物を取り去る場合、フロート１９で水面２に浮いた状態の取水部１１で取り込んだ水面付近の水は取水部排水口２１から落水部１２に落ちて溜まるが、あらかじめ水位調整排水装置１５によって設定されている装置内水位１８を超えた水量については、水位調整排水装置１５によって水位調整排水装置排水口１６より排出されるという動作は、浴槽の場合と変わらず、水面の浮遊物を排水とともに排出することができる。
【実施例１３】
【００４６】
図２１に示す排水装置にでは、池や沼など、自然または人工的にできた水だめや、池などの大きな水面についても、利用することができる。
【００４７】
水位調整排水装置１５については、電動式のモーターやウォーターポンプなどを利用した強制的な排水が可能なものが適している。
【００４８】
また、水位調整排水装置１５の水位調整については、水圧などを計測して決める方法、またはフロートスイッチを使用し、前記フロートスイッチのみを装置内水位１８として設定したい水面下の位置に配置するする方法などが考えられるが、特に決まった方法を特定しない。
【００４９】
図２１では後者のフロートスイッチを利用した方法を用いた図であるが、この方法で、水面の細かい浮遊物や流入した油の回収などを行うことが容易に行える。
【産業上の利用可能性】
【００５０】
本案は水槽やプール、浴槽、その他、水や液体を排水を行う場合等に使用する装置として利用できる水回りに関するものである。
【符号の説明】
【００５１】
１  浴槽
２  水面
３  水面の延長仮線
１１  取水部
１２  落水部
１３  汲み上げ部
１４  排水部接続管
１５  水位調整排水装置
１６  水位調整排水装置排水口
１７  取水部吊り下げストッパー
１８  装置内水位
１９  フロート
２０  取水部水面差
２１  取水部排水口
２２  取水部吊り下げストッパー固定部
２３  水の流れる方向
２４  取水口
２５  取水部本体
２６  落水部汲み上げ部接続具
２７  排水口接続部
２８  逆止弁
２９  水位調整排水装置用水受け皿
３０  フロートスイッチ配線
３１  フロートスイッチ
３２  排水制御装置
３３  排水制御配線
５１  水位変化
５２  取水部位置変化
５３  逆止弁取り付け部
５４  逆止弁
５５  トラップ式水位調整排水装置
５６  排水装置取り外し方向
５７  排水装置取り付け方向
７１  水位調整排水装置接続部（入水口）
７２  フロートスイッチ
７３  排水弁
７４  ウォーターポンプ
７５  排水口
７６  電磁石（開閉器）
７７  排水容器
【図１】
2013244324.tif 000003
【図２】
2013244324.tif 000004
【図３】
2013244324.tif 000005
【図４】
2013244324.tif 000006
【図５】
2013244324.tif 000007
【図６】
2013244324.tif 000008
【図７】
2013244324.tif 000009
【図８】
2013244324.tif 000010
【図９】
2013244324.tif 000011
【図１０】
2013244324.tif 000012
【図１１】
2013244324.tif 000013
【図１２】
2013244324.tif 000014
【図１３】
2013244324.tif 000015
【図１４】
2013244324.tif 000016
【図１５】
2013244324.tif 000017
【図１６】
2013244324.tif 000018
【図１７】
2013244324.tif 000019
【図１８】
2013244324.tif 000020
【図１９】
2013244324.tif 000021
【図２０】
2013244324.tif 000022
【図２１】
2013244324.tif 000023